(57)【特許請求の範囲】
【請求項１】
不動に設けられた固定柵と、前記固定柵の下側に可動に連結された可動柵と、を備え、前記可動柵は、前記固定柵に対し吊り下げられた折曲自在な連結体を介して連結され、
少なくとも、牛床に横臥する牛の接触に伴って可動である仕切り柵。
【請求項２】
前記可動柵は、前記牛床の出入り口側から奥行側に向かって低くなるように傾斜させて連結されている請求項１記載の仕切り柵。
【請求項３】
前記固定柵は、トップレールと、該トップレールの下側に配置されたボトムレールと、を備え、前記可動柵が前記ボトムレールに連結されている請求項１又は２記載の仕切り柵。
【請求項４】
前記ボトムレールと前記トップレールとの間に、前記牛床で横臥する前記牛の頭部が入り込むスペースが確保されている請求項３記載の仕切り柵。
【請求項５】
前記ボトムレールに、前記牛床で横臥する前記牛の顎部を載せる顎載せ部が備えられている請求項３又は４記載の仕切り柵。
【発明の詳細な説明】
【技術分野】
【０００１】
本発明は、主に、フリーストール牛舎内に牛床を仕切るために用いられる仕切り柵に関する。
【背景技術】
【０００２】
フリーストール牛舎は、牛が自由に牛舎内を移動でき、しかも、牛自身が、休息場所である複数の牛床を自由に選ぶことができるようになっている。この牛床は、下記特許文献１に記載されているように、牛が起立・横臥できる程度の面積となるように、仕切り柵で仕切ることによって確保されている。
【先行技術文献】
【特許文献】
【０００３】
【特許文献１】実開平１−６８７６５号公報
【発明の概要】
【発明が解決しようとする課題】
【０００４】
しかしながら、特許文献１の従来技術のようなフリーストール牛舎の牛床は、そのすべてが同じ面積にされているため、牛の個体毎の大きさに対応できるものではなく、個体の健康状態・大きさによっては、牛床の面積が不足し、不自然な横臥姿勢にさせてしまうという問題があった。また、その不自然な横臥姿勢から起立する際、仕切り柵に牛が寄りかかり、その接触による仕切り柵の破損・変形や牛への傷付きが発生してしまうという問題があった。
【０００５】
このような問題を解決するために、牛床の面積を拡げて余裕のあるスペースを確保することで、牛の横臥を自然な姿勢にさせることができるとともに、仕切り柵の破損・変形や牛の傷付きを防止することができる。しかしながら、牛舎の限られた面積において牛床の面積を拡げると牛床数が不足するばかりか、広い牛床に対して幅方向(横方向)に横臥することで牛床を汚すという問題が生じてしまうため、牛床の面積を拡げるという方法は、現実的ではない。
【０００６】
本発明は、このような問題に対処することを課題の一例とするものである。すなわち、牛床の面積を拡げることなく、仕切り柵に対する牛の接触による仕切り柵の破損・変形や牛への傷付きを防止できるとともに、牛が快適に、且つストレスなく休息できる牛床を実現できること、等が本発明の目的である。
【課題を解決するための手段】
【０００７】
このような目的を達成するために、本発明による仕切り柵は、以下の構成を具備するものである。
【０００８】
不動に設けられた固定柵と、前記固定柵の下側に可動に連結された可動柵と、を備え、前記可動柵は、前記固定柵に対し吊り下げられた折曲自在な連結体を介して連結され、
少なくとも、牛床に横臥する牛の接触に伴って可動である仕切り柵。
【００１０】
前記可動柵は、前記牛床の出入り口から奥行側に向かって低くなるように傾斜させて連結することが好ましい。
【００１１】
前記固定柵は、トップレールと、該トップレールの下側に配置されたボトムレールと、を備え、前記可動柵を前記ボトムレールに連結することが好ましい。
【００１２】
前記ボトムレールと前記トップレールとの間に、前記牛床で横臥する牛の頭部が入り込むスペースを確保することが好ましい。
【００１３】
前記ボトムレールに、前記牛床で横臥する前記牛の顎部を載せる顎載せ部を備えることが好ましい。
【発明の効果】
【００１４】
このような特徴を有することで本発明は、以下の効果を奏する。すなわち、不動に設けられた固定柵と、前記固定柵の下側に可動に連結された可動柵と、を備え、前記可動柵を、少なくとも、牛床に横臥する牛の接触に伴って可動としたので、牛床の面積を拡げることなく、仕切り柵に対する牛の接触による仕切り柵の破損・変形や牛への傷付きを防止できるとともに、牛が快適に、且つストレスなく休息できる牛床を実現できる。
【図面の簡単な説明】
【００１５】
【図１】本発明の第１実施形態に係る仕切り柵の側面図である。
【図２】正面図である。
【図３】本発明の第２実施形態に係る仕切り柵の側面図である。
【図４】本発明の第１実施形態又は第２実施形態に係る仕切り柵を用いたフリーストール牛舎の平面図である。
【発明を実施するための形態】
【００１６】
以下、本発明の第１実施形態に係る仕切り柵１を図１〜２に基づいて説明する。尚、以下で説明する各実施形態は、本発明を限定するものではない。
【００１７】
ここで、仕切り柵１は、主に、図４に示すフリーストール牛舎１００において、牛床Ａを複数に仕切るのに使用されるものである。牛床Ａは、床面Ａ１が通路Ｂから一段高くなるように形成され、この床面Ａ１の上に敷料(図示せず)を敷き詰めることでクッション性を確保している。
【００１８】
仕切り柵１は、牛床Ａの奥行側端部Ａ１０に立設された支柱１０と、この支柱１０から牛床Ａの出入り口Ａ１１方向に張り出すように固定された固定柵２と、固定柵２の一部を構成するボトムレール２０の下端２０Ａに可動に連結された可動柵３とを備えている。
【００１９】
支柱１０は、Ｈ鋼材等の長尺な鋼材を用いることができ、牛床Ａに対して鉛直方向に立設する。この支柱１０は、フリーストール牛舎１００の屋根（図示せず）や壁（図示せず）を支える柱を利用することもできる。
【００２０】
固定柵２は、金属製の丸パイプ材を折り曲げ加工することで、曲部２Ａを介してボトムレール２０とトップレール２１を一体に形成したものであり、曲部２Ａを出入り口Ａ１１方向に向けて、支柱１０に固定されている。
【００２１】
固定柵２は、ボトムレール２０が曲部２Ａから支柱１０に向かって低くなるように傾斜し、トップレール２１が床面Ａ１と平行となるように形成されている。
【００２２】
また、固定柵２は、トップレール２１を牛の目線の高さと同じ高さとなるように固定したときに、ボトムレール２０の下端２０Ａと床面Ａ１との間に、牛床Ａに横臥した状態の牛が入り込める大きさの空間Ｓを確保して形成されている。
【００２３】
すなわち、牛床Ａに入ろうとする牛をトップレール２１によって誘導することができるとともに、牛床Ａに横臥した牛が空間Ｓに入り込むことで、固定柵２に荷重がかからないようにすることができる。
【００２４】
この固定柵２は、支柱１０側のボトムレール２０とトップレール２１との間に、牛床Ａで横臥した状態の牛の頭部が入り込むスペースＳ１を確保して形成されている。
【００２５】
スペースＳ１は、牛床Ａで横臥する牛の頭部が自然に入り込む位置に設定されており、この位置に設定することによって、牛床で横臥する牛の頭部がボトムレール２０に接触することを防止し、この接触による牛の頭部への衝撃及び傷付き等を防止することができる。また、牛自身がボトムレール２０を避けることによる不自然な姿勢での横臥状態を防止し、牛床Ａにおいて自然で、且つ楽な姿勢で牛を横臥させることができる。
【００２６】
更に、固定柵２は、ボトムレール２０の傾斜終端部２０Ｂに連続して、横臥した状態の牛の顎部を載せる顎載せ部２０Ｃが、トップレール２１と平行に形成されている。
【００２７】
顎載せ部２０Ｃの高さは、牛床Ａで横臥した牛の頭部がスペースＳ１に入り込んだ際に、牛の顎部が自然と載る程度に設定されており、この高さに設定することによって、牛床Ａにおいて自然で、且つ楽な姿勢で牛を横臥させることができる。
【００２８】
顎載せ部２０Ｃ及びトップレール２１の支柱１０側の端部には、固定柵２を支柱１０に対して取り付けるため取付け板２２が一体に備えられており、この取付け板２２をボルト・ナット２３によって支柱１０に固定することによって、固定柵２を支柱１０に不動に取り付けることができる。
【００２９】
可動柵３は、塩化ビニール製や合成樹脂製等の軽量な丸パイプ材からなり、ボトムレール２０の下端２０Ａに吊り下げられた折曲自在な鎖状の連結体４に取り付けることによって、空間Ｓ内に位置するように固定柵２と連結されている。
【００３０】
この可動柵３は、軸線がボトムレール２０の軸線と平行となるように傾斜状に設置され、支柱１０側の端部３０を床面Ａ１の近傍に位置させている。
【００３１】
連結体４は、ボトムレール２０の曲部２Ａ及び傾斜終端部２０Ｂ寄りに、夫々吊り下げられている。この２本の連結体４は、夫々同じ長さにされており、取り付けた可動柵３をボトムレール２０の傾斜角と同じ傾斜角となるように設置できるようになっている。
【００３２】
尚、可動柵３の傾斜角は、ボトムレール２０の傾斜角と同じとする形態に限らない。連結体４は、例示した鎖状のものに限らず、折曲自在で、且つ切れ難いものであればよい。
【００３３】
このように連結された可動柵３は、牛床Ａで横臥した牛が、空間Ｓに入り込むように仕切り柵１に寄りかかった際の接触により、仕切り柵１に作用する牛の荷重を、連結体４が折曲がって可動柵３を動かすことで逃がすことができる。また、牛が起立したときに作用する可動柵３を持ち上げる力を、連結体４が折曲がって可動柵３を動かすことで逃がすことができる。
【００３４】
以上の構成の仕切り柵１によると、固定柵２を支柱１０に取り付けることによって、牛床Ａを構成することができる。また、牛が牛床Ａで横臥して仕切り柵１に対して、寄りかかった際に作用する牛の荷重及び牛が起立しようとしたときに作用する力を、連結体４の折れ曲りに伴う可動柵３の動きによって逃がすことができるので、仕切り柵１の破損や変形及び牛の傷付き等を防止することができる。
【００３５】
また、可動柵３をボトムレール２０の傾斜角と同角として傾斜させ、支柱１０側の端部３０を床面Ａ１の近傍に位置させたことにより、横臥した牛に対して、可動柵３の端部３０の位置を視覚させることができるため、可動柵３に対してぶつからないように牛自身でその頭部を避けさせることができる。
【００３６】
以下、本発明の第２実施形態に係る仕切り柵１’を図４に基づいて説明する。尚、前述の第１実施形態と重複する部位についての説明は、同符号を付けることにより省略する。
【００３７】
仕切り柵１’は、固定柵２が、金属製の丸パイプ材を所定長さに切断してなる一本の直管状のものであり、牛の目線と同じ高さ、且つ軸線が床面Ａ１と平行となるように支柱１０に取り付けられている。
【００３８】
可動柵３は、第１実施形態と同様に、連結体４を介して傾斜状に設置されている。この場合、牛床Ａの出入り口Ａ１１側に吊り下げられた連結体４の長さを、牛床Ａの奥行端部Ａ１０側に吊り下げられた連結体４の長さよりも短くすることで、可動柵３を傾斜状に設置している。
【００３９】
この仕切り柵１’によっても、固定柵２を支柱１０に取り付けることによって、牛床Ａを構成することができる。また、牛が牛床Ａで横臥して仕切り柵１’に寄りかかった際に作用する牛の荷重を可動柵３が動くことで逃がすことができるので、仕切り柵１’の破損や変形及び牛の傷付き等を防止することができる。更に、一本の直管状の固定柵２であっても、この固定柵２の下端２０Ａに可動柵３が連結されているので、牛が迷わずに牛床Ａとして認識できるように仕切る仕切り柵１’として機能させることができる。
【００４０】
以上説明したように、第１、第２実施形態の仕切り柵１、１’によると、牛床Ａの面積を拡げることなく、仕切り柵１、１’に対する牛の接触による仕切り柵１、１’の破損・変形や牛の傷付きを防止できるとともに、牛が快適に、且つストレスなく休息できる牛床Ａを実現できる。
【符号の説明】
【００４１】
１：仕切り柵
１’：仕切り柵
２：固定柵
２０：ボトムレール
２１：トップレール
２０Ｃ：顎載せ部
３：可動柵
４：連結体
Ａ：牛床
Ａ１：床面
Ｓ１：スペース
【図１】
0005638551.tif 000002
【図２】
0005638551.tif 000003
【図３】
0005638551.tif 000004
【図４】
0005638551.tif 000005